(57)【要約】【課題】  デュプレクサにおける送信信号と受信信号との間のアイソレーション特性を改善する。【解決手段】  高周波モジュール１０は、デュプレクサ７０と、受信専用フィルタ９０と、送信信号を電力増幅する電力増幅器３０を備えている。デュプレクサ７０における送信信号と受信信号との間のアイソレーション特性を改善するために、電力増幅器３０とデュプレクサ７０との間に受信専用フィルタ９０を配置する。【選択図】      図３
2018101943.tif 000002
【特許請求の範囲】
【請求項１】
送信信号の周波数帯域を通過帯域とし且つ第１の受信信号の周波数帯域を阻止域とする送信フィルタと、前記送信信号の周波数帯域を阻止域とし且つ前記第１の受信信号の周波数帯域を通過帯域とする受信フィルタとを有するデュプレクサと、
前記第１の受信信号の周波数帯域とは異なる周波数帯域を有する第２の受信信号の周波数帯域を通過帯域とする受信専用フィルタと、
前記送信信号を電力増幅する電力増幅器と、を備え、
前記電力増幅器と前記デュプレクサとの間に前記受信専用フィルタが配置されている、高周波モジュール。
【請求項２】
送信信号の周波数帯域を通過帯域とし且つ第１の受信信号の周波数帯域を阻止域とする送信フィルタと、前記送信信号の周波数帯域を阻止域とし且つ前記第１の受信信号の周波数帯域を通過帯域とする受信フィルタとを有するデュプレクサと、
前記第１の受信信号の周波数帯域とは異なる周波数帯域を有する第２の受信信号の周波数帯域を通過帯域とする受信専用フィルタと、
前記送信信号を電力増幅する電力増幅器と、
前記電力増幅器の出力インピーダンス整合を行う整合回路と、を備え、
前記整合回路と前記デュプレクサとの間に前記受信専用フィルタが配置されている、高周波モジュール。
【請求項３】
送信信号の周波数帯域を通過帯域とし且つ第１の受信信号の周波数帯域を阻止域とする送信フィルタと、前記送信信号の周波数帯域を阻止域とし且つ前記第１の受信信号の周波数帯域を通過帯域とする受信フィルタとを有するデュプレクサと、
前記第１の受信信号の周波数帯域とは異なる周波数帯域を有する第２の受信信号の周波数帯域を通過帯域とする受信専用フィルタと、
前記送信信号を電力増幅する電力増幅器と、
前記第１の受信信号及び前記第２の受信信号を低雑音増幅する低雑音増幅器と、
前記受信専用フィルタと前記低雑音増幅器との間をインピーダンス整合する整合回路と、を備え、
前記電力増幅器と前記デュプレクサとの間に前記整合回路が配置されている、高周波モジュール。
【請求項４】
送信信号の周波数帯域を通過帯域とし且つ第１の受信信号の周波数帯域を阻止域とする送信フィルタと、前記送信信号の周波数帯域を阻止域とし且つ前記第１の受信信号の周波数帯域を通過帯域とする受信フィルタとを有するデュプレクサと、
前記第１の受信信号の周波数帯域とは異なる周波数帯域を有する第２の受信信号の周波数帯域を通過帯域とする受信専用フィルタと、
前記送信信号を電力増幅する電力増幅器と、
前記第１の受信信号及び前記第２の受信信号を低雑音増幅する低雑音増幅器と、
前記受信専用フィルタと前記低雑音増幅器との間をインピーダンス整合する第１の整合回路と、
前記電力増幅器の出力インピーダンス整合を行う第２の整合回路と、を備え、
前記第２の整合回路と前記デュプレクサとの間に前記第１の整合回路が配置されている、高周波モジュール。
【請求項５】
送信信号の周波数帯域を通過帯域とし且つ第１の受信信号の周波数帯域を阻止域とする送信フィルタと、前記送信信号の周波数帯域を阻止域とし且つ前記第１の受信信号の周波数帯域を通過帯域とする受信フィルタとを有するデュプレクサであって、前記送信フィルタは、前記送信信号の周波数帯域と同じ周波数帯域を有する第２の受信信号を通過させる受信フィルタを兼用している、デュプレクサと、
前記送信信号を電力増幅する電力増幅器と、を備え、
前記送信フィルタと前記電力増幅器との間の距離は、前記受信フィルタと前記電力増幅器との間の距離より短い、高周波モジュール。
【請求項６】
送信信号の周波数帯域を通過帯域とし且つ第１の受信信号の周波数帯域を阻止域とする送信フィルタと、前記送信信号の周波数帯域を阻止域とし且つ前記第１の受信信号の周波数帯域を通過帯域とする受信フィルタとを有するデュプレクサであって、前記送信フィルタは、前記送信信号の周波数帯域と同じ周波数帯域を有する第２の受信信号を通過させる受信フィルタを兼用している、デュプレクサと、
前記送信信号を電力増幅する電力増幅器と、
前記電力増幅器の出力インピーダンス整合を行う整合回路と、を備え、
前記送信フィルタと前記整合回路との間の距離は、前記受信フィルタと前記整合回路との間の距離より短い、高周波モジュール。
【発明の詳細な説明】
【技術分野】
【０００１】
本発明は高周波モジュールに関わる。
【背景技術】
【０００２】
携帯電話などの移動通信端末は、一つの端末で複数の通信方式（マルチモード）及び複数の周波数帯域（マルチバンド）に対応することが求められている。通信方式として、例えば、ＧＳＭ（Global System for Mobile Communications）（登録商標）、ＥＤＧＥ（Enhanced Data Rates for GSM Evolution）、ＵＭＴＳ（Universal Mobile Telecommunications System）、Ｗ−ＣＤＭＡ（Wideband Code Division Multiple Access）、及びＬＴＥ（Long Term Evolution）などが挙げられる。これらの通信方式毎に、周波数帯域が通信規格上定められている。また、移動通信端末の搭載部品の高密度実装を背景として、アンテナスイッチ、バンド切り替えスイッチ、デュプレクサ、電力増幅器、低雑音増幅器、及び整合回路などの各種部品を同一の配線基板に表面実装することが進んでいる。
【発明の概要】
【発明が解決しようとする課題】
【０００３】
しかし、このような高密度実装においては、電力増幅器から出力される送信信号のうち一部の信号成分は、電磁結合を通じて、デュプレクサの受信フィルタや受信経路に流れ込み、低雑音増幅器に入力することがある。送信信号と受信信号との間のアイソレーション特性を確保するためには、上述のような電磁結合が生じないように、部品同士の距離を離すのが効果的である。ところが、小型が要求される移動通信端末においては、狭い実装面積内で部品同士の距離を離して送信信号と受信信号とのアイソレーション特性を十分に確保するのは困難である。
【０００４】
そこで、本発明は、このような問題を解消し、送信信号と受信信号との間のアイソレーション特性を改善できる高周波モジュールを提案することを課題とする。
【課題を解決するための手段】
【０００５】
上述の課題を解決するため、本発明に係る高周波モジュールは、（i）送信信号の周波数帯域を通過帯域とし且つ第１の受信信号の周波数帯域を阻止域とする送信フィルタと、送信信号の周波数帯域を阻止域とし且つ第１の受信信号の周波数帯域を通過帯域とする受信フィルタとを有するデュプレクサと、（ii）第１の受信信号の周波数帯域とは異なる周波数帯域を有する第２の受信信号の周波数帯域を通過帯域とする受信専用フィルタと、（iii）送信信号を電力増幅する電力増幅器と、を備える。ここで、電力増幅器とデュプレクサとの間に受信専用フィルタが配置されている。
【発明の効果】
【０００６】
本発明に係る高周波モジュールによれば、送信信号と受信信号との間のアイソレーション特性を改善することができる。
【図面の簡単な説明】
【０００７】
【図１】本発明の実施形態１に関わる高周波モジュールの回路構成を示す説明図である。
【図２】本発明の実施形態１に関わる高周波モジュールの各部品のレイアウト関係を示す説明図である。
【図３】本発明の実施形態１に関わる高周波モジュールの各部品のレイアウト関係を示す説明図である。
【図４】本発明の実施形態１に関わる高周波モジュールの周波数と信号減衰との関係を示すシミュレーション結果である。
【図５】本発明の実施形態１に関わる高周波モジュールの各部品のレイアウト関係を示す説明図である。
【図６】本発明の実施形態２に関わる高周波モジュールの回路構成を示す説明図である。
【図７】本発明の実施形態２に関わる高周波モジュールの各部品のレイアウト関係を示す説明図である。
【発明を実施するための形態】
【０００８】
以下、各図を参照しながら本発明の実施形態について説明する。ここで、同一符号は同一の回路素子を示すものとし、重複する説明は省略する。
図１は、本発明の実施形態１に関わる高周波モジュール１０の回路構成を示す説明図である。高周波モジュール１０は、携帯電話などの移動通信端末において、基地局との間で複数の周波数帯域のＲＦ（Radio Frequency）信号を送受信する処理を行うためのモジュールであり、送受信モジュールと呼ばれることもある。
【０００９】
高周波モジュール１０は、マルチモード・マルチバンドに対応しており、例えば、周波数帯域が互いに異なる３種類の送信信号と、周波数帯域が互いに異なる４種類の受信信号を送受信するように構成されている。３種類の送信信号を区別するときは、これらを、送信信号Ａ、送信信号Ｂ、送信信号Ｃと呼ぶ。３種類の送信信号を区別する必要がないときには、単に、送信信号という。同様に、４種類の受信信号を区別するときには、これらを、受信信号Ａ、受信信号Ｂ、受信信号Ｃ、受信信号Ｄと呼ぶ。４種類の受信信号を区別する必要がないときには、単に、受信信号という。ここで、高周波モジュール１０は、送信信号Ａと受信信号Ａとを同時に送受信することができる。同様に、高周波モジュール１０は、送信信号Ｂと受信信号Ｂと同時に送受信することもでき、更に送信信号Ｃと受信信号Ｃとを同時に送受信することもできる。送信信号と受信信号とを同時に送受信する周波数帯域として、例えば、バンド８、バンド１２、バンド１３、バンド１４、バンド２０、バンド２６、バンド２８などを挙げることができる。一方、受信信号Ｄは、受信専用の周波数帯域（例えば、バンド２９）を使用している。なお、送信信号の種類は、３種類に限らず、１種類、２種類、或いは４種類以上でもよい。受信信号の種類は、４種類に限らず、２種類、３種類、或いは５種類以上でもよい。
【００１０】
高周波モジュール１０は、主に、電力増幅器３０、デュプレクサ６０，７０，８０、受信専用フィルタ９０、低雑音増幅器モジュール１７０、アンテナスイッチ１００、送信信号切り替えスイッチ５０、整合回路４０，１２０，１３０，１４０，１５０を備えている。
【００１１】
電力増幅器３０は、入力端子３１と出力端子３２を備えている。電力増幅器３０は、ＲＦＩＣ（Radio Frequency Integrated Circuit）から入力端子３１に入力される送信信号Ａ，Ｂ，Ｃを電力増幅し、これらを出力端子３２から出力する。送信信号切り替えスイッチ５０は、入力端子５１と、出力端子５２，５３，５４とを備えている。送信信号切り替えスイッチ５０は、入力端子５１に入力される送信信号Ａを出力端子５２から出力し、入力端子５１に入力される送信信号Ｂを出力端子５３から出力し、入力端子５１に入力される送信信号Ｃを出力端子５４から出力する。整合回路４０は、電力増幅器３０の出力インピーダンス整合を行う。
【００１２】
デュプレクサ６０は、共通端子６１、入力端子６２、出力端子６３、送信フィルタ６４、及び受信フィルタ６５を備えている。送信フィルタ６４は、送信信号Ａの周波数帯域を通過帯域とし、且つ受信信号Ａの周波数帯域を阻止域とする周波数特性を有する。受信フィルタ６５は、受信信号Ａの周波数帯域を通過帯域とし、且つ送信信号Ａの周波数帯域を阻止域とする周波数特性を有する。デュプレクサ６０は、送信信号Ａと受信信号Ａとを分離する。送信信号Ａは、送信信号切り替えスイッチ５０の出力端子５２からデュプレクサ６０の入力端子６２に入力され、送信フィルタ６４を通過して、共通端子６１からアンテナスイッチ１００へ出力される。
【００１３】
デュプレクサ７０は、共通端子７１、入力端子７２、出力端子７３、送信フィルタ７４、及び受信フィルタ７５を備えている。送信フィルタ７４は、送信信号Ｂの周波数帯域を通過帯域とし、且つ受信信号Ｂの周波数帯域を阻止域とする周波数特性を有する。受信フィルタ７５は、受信信号Ｂの周波数帯域を通過帯域とし、且つ送信信号Ｂの周波数帯域を阻止域とする周波数特性を有する。デュプレクサ７０は、送信信号Ｂと受信信号Ｂとを分離する。送信信号Ｂは、送信信号切り替えスイッチ５０の出力端子５３からデュプレクサ７０の入力端子７２に入力され、送信フィルタ７４を通過して、共通端子７１からアンテナスイッチ１００へ出力される。
【００１４】
デュプレクサ８０は、共通端子８１、入力端子８２、出力端子８３、送信フィルタ８４、及び受信フィルタ８５を備えている。送信フィルタ８４は、送信信号Ｃの周波数帯域を通過帯域とし、且つ受信信号Ｃの周波数帯域を阻止域とする周波数特性を有する。受信フィルタ８５は、受信信号Ｃの周波数帯域を通過帯域とし、且つ送信信号Ｃの周波数帯域を阻止域とする周波数特性を有する。デュプレクサ８０は、送信信号Ｃと受信信号Ｃとを分離する。送信信号Ｃは、送信信号切り替えスイッチ５０の出力端子５４からデュプレクサ８０の入力端子８２に入力され、送信フィルタ８４を通過して、共通端子８１からアンテナスイッチ１００へ出力される。
【００１５】
受信専用フィルタ９０は、入力端子９１及び出力端子９２を備えている。受信専用フィルタ９０は、受信信号Ｄを通過帯域とする周波数特性をしており、受信信号Ｄを選択的に通過させる。受信専用フィルタ９０は、送信フィルタと組み合わされて用いられるものではない点において、デュプレクサの受信フィルタとは異なる。
【００１６】
アンテナスイッチ１００は、アンテナ１１０に接続する端子１０１と、共通端子６１に接続する端子１０２と、共通端子７１に接続する端子１０３と、入力端子９１に接続する端子１０４と、共通端子８１に接続する端子１０５とを備えている。アンテナスイッチ１００は、送信信号Ａ，Ｂ，Ｃのそれぞれの信号経路を端子１０１，１０２の間、端子１０１，１０３の間、端子１０１，１０５の間に選択的に確立する。アンテナ１１０は、送信信号を基地局へ送信する。アンテナスイッチ１００は、基地局から受信した受信信号Ａ，Ｂ，Ｃ，Ｄのそれぞれの信号経路を端子１０１，１０２の間、端子１０１，１０３の間、端子１０１，１０４の間、端子１０１，１０５の間に選択的に確立する。
【００１７】
受信信号Ａは、アンテナスイッチ１００の端子１０２からデュプレクサ６０の共通端子６１に入力され、受信フィルタ６５を通過して、出力端子６３から低雑音増幅器モジュール１７０へ出力される。受信信号Ｂは、アンテナスイッチ１００の端子１０３からデュプレクサ７０の共通端子７１に入力され、受信フィルタ７５を通過して、出力端子７３から低雑音増幅器モジュール１７０へ出力される。受信信号Ｃは、アンテナスイッチ１００の端子１０５からデュプレクサ８０の共通端子８１に入力され、受信フィルタ８５を通過して、出力端子８３から低雑音増幅器モジュール１７０へ出力される。受信信号Ｄは、アンテナスイッチ１００の端子１０４から受信専用フィルタ９０の入力端子９１に入力され、受信専用フィルタ９０を通過して、出力端子９２から低雑音増幅器モジュール１７０へ出力される。
【００１８】
整合回路１２０は、受信フィルタ６５と低雑音増幅器モジュール１７０との間をインピーダンス整合する。整合回路１３０は、受信フィルタ７５と低雑音増幅器モジュール１７０との間をインピーダンス整合する。整合回路１４０は、受信専用フィルタ９０と低雑音増幅器モジュール１７０との間をインピーダンス整合する。整合回路１５０は、受信フィルタ８５と低雑音増幅器モジュール１７０との間をインピーダンス整合する。
【００１９】
低雑音増幅器モジュール１７０は、入力端子１７１，１７２，１７３，１７４と、出力端子１７５と、一つ又は複数の低雑音増幅器１８０と、スイッチ素子１９０とを備えている。入力端子１７１，１７２，１７３，１７４のそれぞれに入力される受信信号Ａ，Ｂ，Ｄ，Ｃは、低雑音増幅器１８０により低雑音増幅されて、出力端子１７５からＲＦＩＣへ出力される。スイッチ素子１９０は、受信信号Ａ，Ｂ，Ｃ，Ｄのそれぞれと一つ又は複数の低雑音増幅器１８０との間に信号経路を選択的に確立する。
【００２０】
高周波モジュール１０は、キャリアアグリゲーション動作可能であり、例えば、受信専用フィルタ９０を通じて受信信号Ｄを受信するとともに、デュプレクサ７０を通じて送信信号Ｂ及び受信信号Ｂを同時に送受信可能である。但し、アップリンクキャリアアグリゲーションにより同時に送信される送信信号の種類は特に限定されるものではなく、２種類以上であればよい。同様に、ダウンリンクキャリアグリゲーションにより同時に受信される受信信号の種類は特に限定されるものではなく、２種類以上であればよい。
【００２１】
本発明者は、高周波モジュール１０内の受信専用フィルタ９０の実装上のレイアウト位置を２つの異なる位置に設置し、デュプレクサ７０における送信信号Ｂと受信信号Ｂとの間のアイソレーション特性がどのように変化するのかをシミュレーションした。図２は、整合回路４０と受信専用フィルタ９０との間にデュプレクサ７０を配置したときの実装上のレイアウト関係を示す。図３は、整合回路４０とデュプレクサ７０との間に受信専用フィルタ９０を配置したときの実装上のレイアウト関係を示す。図４は、このシミュレーション結果のグラフを示している。ここで、符号４０１は、受信専用フィルタ９０を図２に示す位置に配置したときのグラフを示し、符号４０２は、受信専用フィルタ９０を図３に示す位置に配置したときのグラフを示す。このシミュレーション結果から、整合回路４０とデュプレクサ７０との間に受信専用フィルタ９０を配置することにより、デュプレクサ７０における送信信号Ｂと受信信号Ｂとの間のアイソレーション特性を約２ｄＢ改善できることが分る。これは、送信信号と受信信号との間のアイソレーション特性を十分に確保する必要のない受信専用フィルタ９０を整合回路４０とデュプレクサ７０との間に配置することにより、送信信号の電磁界の影響が強い整合回路４０からデュプレクサ７０を遠ざけることができるためであると考えられる。このようなレイアウトは、高密度実装により部品の搭載スペースが限られている高周波モジュール１０において有用である。
【００２２】
なお、整合回路４０の付近に限らず、例えば、電力増幅器３０の付近でも送信信号の電磁界の影響が比較的強いことが判明している。そこで、図３に示すように、電力増幅器３０とデュプレクサ７０との間に受信専用フィルタ９０を配置することにより、デュプレクサ７０における送信信号Ｂと受信信号Ｂとの間のアイソレーション特性を改善できる。このようなアイソレーション特性を得るためには、例えば、図５に示すように、デュプレクサ７０と電力増幅器３０との間に、又はデュプレクサ７０と整合回路４０との間に、整合回路１４０を配置してもよい。
【００２３】
なお、受信専用フィルタ９０と低雑音増幅器モジュール１７０の入力端子１７３との間に受信信号Ｄを流すための信号経路を選択的に確立するスイッチ素子を設けてもよい。このスイッチ素子を電力増幅器３０とデュプレクサ７０との間、又は整合回路４０とデュプレクサ７０との間に配置することにより、上述のアイソレーション特性と同様の効果を得ることができる。
【００２４】
なお、図１は、高周波モジュール１０を構成する各部品同士の接続関係を概略的に示しているに過ぎず、実装上のレイアウト関係を示すものではない点に留意されたい。また、図１に示す部品（アンテナ１１０を除く）のうち図２、図３、及び図５に図示されていない部品については、図示を省略している。また、上述の説明では、デュプレクサ７０における送信信号Ｂと受信信号Ｂとの間のアイソレーション特性を高めるレイアウトを例示したが、他のデュプレクサ６０，８０についても上述のレイアウトと同様のレイアウトを採用することにより、同様の効果を得ることができる。
【００２５】
本明細書では、「受信信号Ｂ」と「受信信号Ｄ」とを区別する必要がある場合、前者を「第１の受信信号」と呼び、後者を「第２の受信信号」と呼ぶことがある。また、「整合回路１４０」と「整合回路４０」とを区別する必要がある場合、前者を「第１の整合回路」と呼び、後者を「第２の整合回路」と呼ぶことがある。
【００２６】
図６は、本発明の実施形態２に関わる高周波モジュール２０の回路構成を示す説明図である。実施形態２に関わる高周波モジュール２０は、受信専用フィルタ９０に替えてデュプレクサ２００及びスイッチ素子２１０を備えている点において実施形態１に関わる高周波モジュール１０とは異なる。実施形態１，２の間で重複する部分の説明は省略し、実施形態１，２の相違点を中心に説明する。
【００２７】
高周波モジュール２０は、例えば、周波数帯域が互いに異なる４種類の送信信号と、周波数帯域が互いに異なる５種類の受信信号を送受信するように構成されている。４種類の送信信号を区別するときは、これらを、送信信号Ａ、送信信号Ｂ、送信信号Ｃ、送信信号Ｅと呼ぶ。４種類の送信信号を区別する必要がないときには、単に、送信信号という。同様に、５種類の受信信号を区別するときには、これらを、受信信号Ａ、受信信号Ｂ、受信信号Ｃ、受信信号Ｄ、受信信号Ｅと呼ぶ。５種類の受信信号を区別する必要がないときには、単に、受信信号という。なお、送信信号の種類は、４種類に限らず、１種類、２種類、３種類、或いは５種類以上でもよい。受信信号の種類は、５種類に限らず、２種類、３種類、４種類、或いは６種類以上でもよい。
【００２８】
デュプレクサ２００は、共通端子２０１、入力端子２０２、出力端子２０３、送信フィルタ２０４、及び受信フィルタ２０５を備えている。送信フィルタ２０４は、送信信号Ｅの周波数帯域を通過帯域とし、且つ受信信号Ｅの周波数帯域を阻止域とする周波数特性を有する。受信フィルタ２０５は、受信信号Ｅの周波数帯域を通過帯域とし、且つ送信信号Ｅの周波数帯域を阻止域とする周波数特性を有する。デュプレクサ２００は、送信信号Ｅと受信信号Ｅとを分離する。送信信号Ｅは、送信信号切り替えスイッチ５０の出力端子５５からデュプレクサ２００の入力端子２０２に入力され、送信フィルタ２０４を通過して、共通端子２０１からアンテナスイッチ１００へ出力される。
【００２９】
ここで、送信フィルタ２０４は、送信信号Ｅの周波数帯域と同じ周波数帯域を有する受信信号Ｄを通過させる受信フィルタを兼用している。例えば、バンド２８のアップリンクバンドと、バンド２９とは、互いに周波数帯域が重複している。このため、送信フィルタ２０４は、バンド２８の送信フィルタとして機能するだけなく、バンド２９の受信フィルタとしても機能する。
【００３０】
送信フィルタ２０４が送信信号Ｅの送信フィルタとして機能するときは、スイッチ素子２１０は、送信信号切り替えスイッチ５０から送信フィルタ２０４に送信信号Ｅが流れるように、送信信号Ｅの信号経路を選択的に確立する。一方、送信フィルタ２０４が受信信号Ｄの受信フィルタとして機能するときは、スイッチ素子２１０は、送信フィルタ２０４から低雑音増幅器モジュール１７０の入力端子１７６に受信信号Ｄが流れるように、受信信号Ｄの信号経路を選択的に確立する。なお、整合回路２２０は、受信フィルタとして機能する送信フィルタ２０４と低雑音増幅器モジュール１７０との間をインピーダンス整合する。
【００３１】
送信フィルタ２０４が受信信号Ｄの受信フィルタとして機能するときは、アイソレーション特性を十分に確保する必要がない。このため、図７に示すように、送信フィルタ２０４と電力増幅器３０との間の距離は、受信フィルタ２０５と電力増幅器３０との間の距離より短いのが好ましい。或いは、送信フィルタ２０４と整合回路４０との間の距離を受信フィルタ２０５と整合回路４０との間の距離より短くしてもよい。また、デュプレクサ２００をデュプレクサ７０よりも電力増幅器３０又は整合回路４０に近づけて配置してもよい。
【００３２】
なお、図６は、高周波モジュール２０を構成する各部品同士の接続関係を概略的に示しているに過ぎず、実装上のレイアウト関係を示すものではない点に留意されたい。また、図６に示す部品（アンテナ１１０を除く）のうち図７に示されていない部品については、図示を省略している。
【００３３】
本明細書では、「受信信号Ｅ」と「受信信号Ｄ」とを区別する必要がある場合、前者を「第１の受信信号」と呼び、後者を「第２の受信信号」と呼ぶことがある。
【００３４】
以上説明した実施形態は、本発明の理解を容易にするためのものであり、本発明を限定して解釈するためのものではない。本発明は、その趣旨を逸脱することなく、変更又は改良され得るととともに、本発明にはその等価物も含まれる。即ち、実施形態に当業者が適宜設計変更を加えたものも、本発明の特徴を備えている限り、本発明の範囲に包含される。実施形態が備える各回路素子及びその配置などは、例示したものに限定されるわけではなく適宜変更することができる。例えば、回路素子Ａが回路素子Ｂに接続するとは、回路素子Ａが回路素子Ｂに直接接続している場合のみならず、回路素子Ａと回路素子Ｂとの間に回路素子Ｃ（例えば、スイッチ素子）を経由して信号経路が選択的に確立され得る場合も含まれるものとする。また、実施形態が備える各回路素子は、技術的に可能な限りにおいて組み合わせることができ、これらを組み合わせたものも本発明の特徴を含む限り本発明の範囲に包含される。
【符号の説明】
【００３５】
１０，２０…高周波モジュール  ３０…電力増幅器  ４０…整合回路  ５０…送信信号切り替えスイッチ  ６０，７０，８０…デュプレクサ  ９０…受信フィルタ  １００…アンテナスイッチ  １１０…アンテナ  １７０…低雑音増幅器モジュール  １８０…低雑音増幅器  １９０…スイッチ素子  ２００…デュプレクサ
【図１】
2018101943.tif 000003
【図２】
2018101943.tif 000004
【図３】
2018101943.tif 000005
【図４】
2018101943.tif 000006
【図５】
2018101943.tif 000007
【図６】
2018101943.tif 000008
【図７】
2018101943.tif 000009